(57)【要約】【課題】インターホン装置の電気部品等の寿命による機器の故障を事前に発見することで、機器が故障する前に部品交換が可能にする。【解決手段】居室番号を有する複数の居室親機４０ａ、４０ｂ、４０ｃ、…と、居室親機を呼び出して通話する管理室親機２０と、居室親機を呼び出して通話する集合玄関機３０と、管理室親機、居室親機、集合玄関機との音声信号、制御信号を制御する制御機１０とを備え、制御機は、管理室親機、居室親機、集合玄関機の表示部４４、２４、３４の寿命若しくは操作部４３、２３、３３のボタン操作回数などの寿命データ１５ｃを基準値としてあらかじめ登録しておく書換可能なＲＯＭ１５と、管理室親機、居室親機、集合玄関機の動作履歴を記録する動作ログ１４ａ及び当該動作ログを加算する寿命ログ１４ｃを記録するメモリと、寿命ログの加算値と基準値とを比較処理する制御回路とを有している。【選択図】図１
2006238303.tif 000002
【特許請求の範囲】
【請求項１】
居室番号を有する複数の居室親機（４０ａ、４０ｂ、４０ｃ、・・・）と、前記居室親機を呼び出して通話する管理室親機（２０）と、前記居室親機を呼び出して通話する集合玄関機（３０）と、前記管理室親機、前記居室親機、前記集合玄関機との音声信号、制御信号を制御する制御機（１０）とを備え、
前記制御機は、前記管理室親機、前記居室親機、前記集合玄関機の各表示部（４４、２４、３４）の寿命若しくは各操作部（４３、２３、３３）のボタン操作回数などの寿命データ（１５ｃ）を基準値としてあらかじめ登録しておく書換可能なＲＯＭ（１５）と、前記管理室親機、前記居室親機、前記集合玄関機の前記各表示部の点灯時間若しくは各操作部のボタン操作回数などの動作履歴を記録する動作ログ（１４ａ）及び当該動作ログを加算する寿命ログ（１４ｃ）を記録するメモリ（１４）と、前記寿命ログの加算値と前記基準値とを比較処理する制御回路とを有することを特徴とするインターホン装置。
【請求項２】
ナースコール親機（１２０）と、前記ナースコール親機を呼び出して通話するための子機番号を有する複数のナースコール子機（１４０ａ、１４０ｂ、１４０ｃ、・・・）と、前記ナースコール親機、前記ナースコール子機との音声信号、制御信号を制御するナースコール制御機（１１０）とを備え、
前記ナースコール制御機は、前記ナースコール親機、前記ナースコール子機の各表示部（４４、２４）の寿命若しくは各操作部（４３、２３）のボタン操作回数などの寿命データ（１５ｃ）を基準値としてあらかじめ登録しておく書換可能なＲＯＭ（１５）と、前記ナースコール親機、前記ナースコール子機の各表示部の点灯時間若しくは各操作部のボタン操作回数などの動作履歴を記録する動作ログ（１４ａ）及び当該動作ログを加算する寿命ログ（１４ｃ）を記録するメモリ（１４）と、前記寿命ログの加算値と前記基準値とを比較処理する制御回路とを有することを特徴とするインターホン装置。
【請求項３】
前記制御機は、前記寿命ログの加算値が前記寿命データの基準値を超えた場合又は前記管理室親機の前記操作部の操作により前記制御回路による比較結果を前記管理室親機の表示部に表示させることを特徴とする請求項１記載のインターホン装置。
【請求項４】
前記ナースコール制御機は、前記寿命ログが前記寿命データの基準値を超えた場合又は前記ナースコール親機の前記操作部の操作により前記制御回路による比較結果を前記ナースコール親機の表示部に表示させることを特徴とする請求項２記載のインターホン装置。
【請求項５】
前記寿命ログが前記寿命データの基準値を超えた場合又は操作部（５３）の操作により前記制御回路による比較結果の表示を行なう外部監視装置（５０）を備えることを特徴とする請求項１又は請求項２記載のインターホン装置。
【発明の詳細な説明】
【技術分野】
【０００１】
本発明は集合住宅や病院に用いられるインターホン装置に係り、特に集合玄関機、管理室親機、居室親機等の機器に使用される電気部品や電子部品の寿命状況を寿命ログとして表示させることができるインターホン装置に関する。
【背景技術】
【０００２】
従来から、インターホンシステムを設置、施行した後に発生する接続ミス、ソフトウェアのバグ、異常な動作等のエラーの解析を迅速に行なうことができる集合住宅インターホンシステムが提案されている（例えば、特許文献１参照。）。
【０００３】
この集合住宅インターホンシステムは、集合玄関機、管理室親機および居室親機と、集合玄関機、管理室親機および居室親機がそれぞれ接続され、これらの機器の呼び出し、通話、警報を制御する制御機とを備えている。制御機には、集合玄関機、管理室親機および居室親機との通信エラー、制御機内部の処理エラー等を検出するＣＰＵと、エラーをログとして保存するＲＡＭと、ＣＰＵにて検出されたエラーログをネットワークを介して遠隔監視サーバーパソコンとを備えている。また、遠隔監視サーバーパソコンには、エラーログに対応した異常種別を解析し表示させるための異常種別解析／表示装置を備えている。
【０００４】
このように構成された集合住宅インターホンシステムは、制御機のＣＰＵにて検出されたエラーログをネットワークを介して遠隔監視サーバーパソコンへ送信し、エラーログに対応した異常種別を解析し表示させることができる。
【０００５】
【特許文献１】特開２００２−３１４６９７号公報
【発明の開示】
【発明が解決しようとする課題】
【０００６】
しかしながら、背景技術において示した集合住宅インターホンシステムでは、常時、使用状態であるにも拘らず、機器に故障が発生した場合、制御機のＣＰＵにて検出されたエラーログで機器の故障原因の解析は可能であるが、その故障を事前に察知することができないので、インターホンシステムが使用不可になる場合があった。この機器の故障原因としては、機器内部の部品の寿命によるものが多く、また、この機器内部の部品の寿命は機器の使われ方に左右されやすく、一概に使用年数などで部品の寿命を判断することができなかった。
【０００７】
本発明は、このような従来の難点を解決するためになされたもので、集合玄関機、管理室親機、居室親機等の機器に使用される電気部品や電子部品の寿命状況を寿命ログとして表示させ、電気部品等の寿命による機器の故障を事前に発見することで、機器が故障する前に部品交換が可能なインターホン装置を提供することを目的とする。
【課題を解決するための手段】
【０００８】
本発明の第１の態様であるインターホン装置は、居室番号を有する複数の居室親機と、居室親機を呼び出して通話する管理室親機と、居室親機を呼び出して通話する集合玄関機と、管理室親機、居室親機、集合玄関機との音声信号、制御信号を制御する制御機とを備えた集合住宅インターホン装置である。
【０００９】
第１の態様であるインターホン装置の制御機は、管理室親機、居室親機、集合玄関機の各表示部の寿命若しくは各操作部のボタン操作回数などの寿命データを基準値としてあらかじめ登録しておく書換可能なＲＯＭと、管理室親機、居室親機、集合玄関機の各表示部の点灯時間若しくは各操作部のボタン操作回数などの動作履歴を記録する動作ログ及び当該動作ログを加算する寿命ログを記録するメモリと、寿命ログの加算値と基準値とを比較処理する制御回路とを有するものである。
【００１０】
また、第１の態様であるインターホン装置の制御機においては、寿命ログの加算値が寿命データの基準値を超えた場合又は管理室親機の操作部の操作により前記制御回路による比較結果を管理室親機の表示部に表示させるものである。
【００１１】
また、本発明の第２の態様であるインターホン装置は、ナースコール親機と、ナースコール親機を呼び出して通話するための子機番号を有する複数のナースコール子機と、ナースコール親機、ナースコール子機との音声信号、制御信号を制御するナースコール制御機とを備えたナースコールインターホン装置である。
【００１２】
第２の態様であるインターホン装置のナースコール制御機は、ナースコール親機、ナースコール子機の各表示部の寿命若しくは各操作部のボタン操作回数などの寿命データを基準値としてあらかじめ登録しておく書換可能なＲＯＭと、ナースコール親機、ナースコール子機の各表示部の点灯時間若しくは各操作部のボタン操作回数などの動作履歴を記録する動作ログ及び当該動作ログを加算する寿命ログを記録するメモリと、寿命ログの加算値と基準値とを比較処理する制御回路とを有するものである。
【００１３】
また、第２の態様であるインターホン装置のナースコール制御機においては、寿命ログが寿命データの基準値を超えた場合又はナースコール親機の操作部の操作により制御回路による比較結果をナースコール親機の表示部に表示させるものである。
【００１４】
この第１、第２の態様であるインターホン装置は、寿命ログが寿命データの基準値を超えた場合又は操作部の操作により制御回路による比較結果の表示を行なう外部監視装置をそれぞれ備えるものである。
【００１５】
このように構成されたインターホン装置によれば、表示部のバックライトの点灯時間や操作部のボタン操作回数などの動作履歴を動作ログとしてメモリに記憶させ、このメモリで動作ログを寿命ログで加算し、この寿命ログの加算値と、ＲＯＭに登録されている表示部のバックライトの寿命や操作部のボタン操作回数などの基準値とを制御回路で比較処理ことができるので、インターホン装置の各機器に使用される電気部品や電子部品の寿命状況を把握できるようになる。また、この制御回路による比較結果を制御機（ナースコール制御機）の操作部を操作して管理室親機（ナースコール親機）、外部監視装置の表示部に表示させることができるので、視覚にて電気部品等の寿命による機器の故障を事前に発見することができるようになる。
【発明の効果】
【００１６】
本発明のインターホン装置によれば、電気部品等の寿命による機器の故障を事前に発見することができるので、機器が故障する前に部品交換が可能になる。したがって、電気部品等の寿命による機器の故障でインターホン装置が使用不可になることを事前に回避できるようになる。
【発明を実施するための最良の形態】
【００１７】
以下、本発明のインターホン装置における好ましい実施の形態例について、図面を参照して説明する。
【００１８】
本発明の好ましい実施の形態例であるインターホン装置としての集合住宅インターホン装置は図１に示すように、各住戸内に設置され個別の居室番号を有する複数の居室親機４０ａ、４０ｂ、４０ｃ、・・・と、管理室内等に設置される管理室親機２０と、集合玄関に設置される集合玄関機３０と、集合住宅外に設置される外部監視装置５０と、音声信号、制御信号を制御すると共にこれらの機器を制御する制御機１０とを備えている。なお、外部監視装置５０は、公衆網やインターネット回線を介し遠隔の場所に設置される場合もあり、また、集合住宅のタイプによっては設置されない場合もある。
【００１９】
居室親機４０ａ、４０ｂ、４０ｃ、・・・はそれぞれ、通信回路４２、制御部４１、操作部４３、表示部４４を有している。通信回路４２は制御部４１に接続され、制御部４１には操作部４３および表示部４４が接続されている。
【００２０】
管理室親機２０は、通信回路２２、制御部２１、操作部２３、表示部２４を有している。通信回路２２は制御部２１に接続され、制御部２１には操作部２３および表示部２４が接続されている。
【００２１】
集合玄関機３０は、通信回路３２、制御部３１、操作部３３、表示部３４を有している。通信回路３２は制御部３１に接続され、制御部３１には操作部３３および表示部３４が接続されている。
【００２２】
外部監視装置５０は、通信回路５２、制御部５１、操作部５３、表示部５４を有している。通信回路５２は制御部５１に接続され、制御部５１には操作部５３および表示部５４が接続されている。
【００２３】
これら機器の各通信回路２２、３２、４２、５２は各種信号を接続されている他の機器の通信回路と送受信するもので、各制御部２１、３１、４１、５１は各種信号を演算処理するもので、各操作部２３、３３、４３、５３は居室番号等を入力操作するもので、各表示部２４、３４、４４、５４は各種メッセージや機器の交換時期の情報を表示するものである。
【００２４】
制御機１０は、４つの通信回路１２ａ、１２ｂ、１２ｃ、１２ｄと制御部１１とを有している。制御部１１は、各通信回路１２ａ、１２ｂ、１２ｃ、１２ｄからの各種信号を演算処理しシステムの制御を行うシステム制御回路１３と、管理室親機２０、居室親機４０ａ、４０ｂ、４０ｃ、・・・、集合玄関機３０の各表示部４４、２４、３４の寿命若しくは各操作部４３、２３、３３のボタン操作回数などの寿命データ１５ｃを基準値としてあらかじめ登録しておく書換可能なＲＯＭ１５と、管理室親機２０、居室親機４０ａ、４０ｂ、４０ｃ、・・・、集合玄関機３０の各表示部４４、２４、３４の点灯時間若しくは各操作部４３、２３、３３のボタン操作回数などの動作履歴を記録する動作ログ１４ａ及び当該動作ログ１４ａを加算する寿命ログ１４ｃを記録するメモリ１４とを有している。また、システム制御回路１３は、寿命ログ１４ｃの加算値とＲＯＭ１５に登録された基準値とを比較処理する機能を有している。なお、この比較結果は、管理室親機２０の操作部２３や外部監視装置５０の操作部５３の操作により、管理室親機２０の表示部２４や外部監視装置５０の表示部５４に表示させる場合には、メモリ１４の所定領域に保存される。
【００２５】
通信回路１２ａは居室親機４０ａ、４０ｂ、４０ｃ、・・・の各通信回路４２に接続され、通信回路１２ｂは管理室親機２０の通信回路２２に接続され、通信回路１２ｃは外部監視装置５０の通信回路５２に接続され、通信回路１２ｄは集合玄関機３０の通信回路３２に接続されている。また、４つの通信回路１２ａ、１２ｂ、１２ｃ、１２ｄはそれぞれ制御部１１に接続され、制御部１１のＲＯＭ１５、メモリ１４はそれぞれシステム制御回路１３に接続されている。
【００２６】
また、ＲＯＭ１５には、制御部１１を統括制御するプログラム１５ａや、機器の各種動作が設定されている設定データ１５ｂが組み込まれている。メモリ１４には、各表示部２４、３４、４４、５４が液晶の場合におけるバックライトの点灯時間や各操作部２３、３３、４３、５３のボタン操作回数などの動作ログ１４ａ、通信エラーなどのエラーログ１４ｂも記録される。なお、ＲＯＭ１５に記録される寿命データ１５ｃは、外部監視装置５０や管理室親機２０の各操作部５３、２３で操作することにより書き換えなどのデータ更新をすることができる。
【００２７】
このような制御機１０は、メモリ１４に記録される寿命ログ１４ｃの加算値が基準値を超えた場合又は管理室親機２０の操作部２３の操作によりその寿命ログ１４ｃを管理室親機２０の表示部２４に表示させる機能を有している。この機能は、制御機１０のシステム制御回路１３にもたせるとよい。
【００２８】
また、外部監視装置５０が設置されている場合には制御機１０は、メモリ１４に記録される寿命ログ１４ｃの加算値が基準値を超えた場合又は外部監視装置５０の操作部５３の操作によりその寿命ログ１４ｃを外部監視装置５０の表示部５４に表示させる機能を有している。この機能は、制御機１０のシステム制御回路１３にもたせるとよい。
【００２９】
このように構成された集合住宅インターホン装置の動作について説明する。なお、制御機１０は、制御部１１のメモリ１４に記録されている寿命ログ１４ｃがＲＯＭ１５に記録されている寿命データ１５ｃの基準値を越えた場合に、その寿命ログ１４ｃを管理室親機２０の表示部２４や外部監視装置５０の表示部５４に表示させる機能を有しているものとする。
【００３０】
例えば、管理室親機２０の操作部２３で居室親機４０ａを呼び出すために居室番号をボタン操作すると、管理室親機２０の制御部２１は通信回路２２から呼び出しのためのボタン操作信号を居室親機４０ａに送信する。そのボタン操作信号は制御機１０の通信回路１２ｂで受信され、制御部１１のシステム制御回路１３に送出される。システム制御回路１３は、メモリ１４にボタン操作データの動作ログ１４ａを記録すると共に、そのボタン操作データを解析して居室親機４０ａで受信可能な呼出開始信号を通信回路１２ａから送信する。その呼出開始信号は居室親機４０ａの通信回路４２で受信され、制御部４１に送出される。制御部４１は、呼出開始データに基づき表示部４４のバックライトを点灯し、管理室親機２０から呼び出しがあったことを表示すると共に、呼出状態が確立した旨の呼出確立信号を通信回路４２から制御機１０に送信する。その呼出確立信号は制御機１０の通信回路１２ａで受信され、制御部１１のシステム制御回路１３に送出される。システム制御回路１３は、メモリ１４に呼出確立データの動作ログ１４ａを記録する。
【００３１】
そして、制御機１０の制御部１１が有するシステム制御回路１３は、居室親機４０ａの表示部４４のバックライト点灯時間や管理室親機２０の操作部２３のボタン操作回数などの各動作ログ１４ａを、メモリ１４に記録されている寿命ログ１４ｃに加算し、ＲＯＭ１５に記録されている寿命データ１５ｃの基準値と比較する。システム制御回路１３は、基準値を越える数値になっている場合には管理室親機２０、外部監視装置５０に対して警告通知信号を送信するために、通信回路１２ｂ、通信回路１２ｃにその警告通信信号を送信する。その警告通信信号は管理室親機２０の通信回路２２で受信され、制御部２１に送出される。制御部２１は、警告通知データに基づき表示部２４のバックライトを点灯し、居室親機４０ａの表示部４４のバックライト点灯時間または（及び）管理室親機２０の操作部２３のボタン操作回数が基準値を越えている旨の警告を表示することができる。また、その警告通信信号は外部監視装置５０の通信回路５２で受信され、制御部５１に送出される。制御部５１は、警告通知データに基づき表示部５４のバックライトを点灯し、居室親機４０ａの表示部４４のバックライト点灯時間または（及び）管理室親機２０の操作部２３のボタン操作回数が基準値を越えている旨の警告を表示することができる。このように、電気部品等の寿命による機器の故障を事前に発見することができるので、機器が故障する前に部品交換が可能になる。なお、このような警告表示は、既存のインターホン装置が有する警報情報を知らせる機能で行うことができるので、新しい表示機能を追加する必要はない。
【００３２】
なお、制御機１０は、管理室親機２０の操作部２３や外部監視装置５０の操作部５３の操作により、メモリ１４の所定領域に保存された比較結果を管理室親機２０の表示部２４や外部監視装置５０の表示部５４に表示させる機能をもたせてもよい。この場合、例えば外部監視装置５０の操作部５３で、メモリ１４の所定領域に保存された比較結果の読み込み操作を行うと、外部監視装置５０の制御部５１は通信回路５２から比較結果読込信号を制御機１０に送信する。制御機１０の通信回路１２ｃで受信された比較結果読込信号はシステム制御回路１３に送出される。システム制御回路１３は、その比較結果読込データを解析してメモリ１４の所定領域に保存された比較結果のデータを通信回路１２ｃから外部監視装置５０に送信する。その比較結果のデータは外部監視装置５０の通信回路５２で受信され、制御部５１に送出される。制御部５１は、比較結果のデータに基づき表示部５４のバックライトを点灯し、居室親機４０ａの表示部４４のバックライト点灯時間または（及び）管理室親機２０の操作部２３のボタン操作回数が基準値を越えている旨の警告を表示することができる。また、管理室親機２０は外部監視装置５０と同様の構成なので、管理室親機２０の操作部２３で比較結果の読み込み操作を行うと、外部監視装置５０と同様の信号処理により表示部２４のバックライトを点灯し、居室親機４０ａの表示部４４のバックライト点灯時間または（及び）管理室親機２０の操作部２３のボタン操作回数が基準値を越えている旨の警告を表示することができる。
【００３３】
また、居室親機４０ａ、４０ｂ、４０ｃ、・・・、集合玄関機３０、外部監視装置５０は管理室親機２０と同様の構成なので、それぞれ他の機器を呼び出すために操作部で居室番号をボタン操作すると、管理室親機２０でボタン操作した場合と同様に制御機１０がシステム制御することができる。したがって、管理室親機２０の表示部２４や外部監視装置５０の表示部５４に、呼出表示させた機器の表示部のバックライト点灯時間または（及び）ボタン操作した機器の操作部のボタン操作回数が基準値を越えている旨の警告を表示することができる。このように、電気部品等の寿命による機器の故障を事前に発見することができるので、機器が故障する前に部品交換が可能になる。
【００３４】
なお、上述した本発明の好ましい実施の形態例においては、集合住宅インターホン装置を例示していたが、これに限らず、病院や老人福祉施設等の看護施設内で使用されるナースコールインターホン装置でも同様の作用、効果を得ることができる。
【００３５】
このようなナースコールインターホン装置は図２に示すように、居室番号を有すると共に病室等の患者のベッド付近に設置され患者が看護師、医師（以下、「看護師等」という。）を呼び出すための複数のナースコール子機１４０ａ、１４０ｂ、１４０ｃ、・・・と、ナースステーション内に設置されナースコール子機からの呼び出しに応答するためのナースコール親機１２０と、看護施設外に設置される外部監視装置１５０と、音声信号、制御信号を制御すると共にこれらの機器を制御するナースコール制御機１１０とを備えている。なお、外部監視装置１５０は、集合住宅インターホン装置の外部監視装置５０と同様に、公衆網やインターネット回線を介して遠隔の場所に設置される場合もあり、看護施設のタイプによっては設置されない場合もある。
【００３６】
ナースコール子機１４０ａ、１４０ｂ、１４０ｃ、・・・は、集合住宅インターホン装置の複数の居室親機４０ａ、４０ｂ、４０ｃ、・・・と同様の構成で且つ同様の動作をするので、同一符号を付して説明を省略する。
【００３７】
ナースコール親機１２０も、集合住宅インターホン装置の管理室親機２０と同様の構成で且つ同様の動作をするので、同一符号を付して説明を省略する。
【００３８】
外部監視装置１５０も、集合住宅インターホン装置の外部監視装置５０と同様の構成で且つ同様の動作をするので、同一符号を付して説明を省略する。
【００３９】
なお、ナースコールインターホン装置では、集合住宅インターホン装置のような集合玄関機３０は備えられていない。
【００４０】
また、ナースコール制御機１１０は、集合住宅インターホン装置の制御機１０と同様の構成で且つ同様の動作をするので、同一符号を付して説明を省略する。
【００４１】
このように構成されたナースコールインターホン装置の動作について説明する。なお、ナースコール制御機１１０は、制御部１１のメモリ１４に記録されている寿命ログ１４ｃの加算値がＲＯＭ１５に記録されている寿命データ１５ｃの基準値を越えた場合に、その寿命ログ１４ｃをナースコール親機１２０の表示部２４や外部監視装置１５０の表示部５４に表示させる機能を有しているものとする。
【００４２】
例えば、ナースコール親機１２０の操作部２３でナースコール子機１４０ａを呼び出すために子機番号をボタン操作すると、ナースコール親機１２０の制御部２１は通信回路２２から呼び出しのためのボタン操作信号をナースコール子機１４０ａに送信する。そのボタン操作信号はナースコール制御機１１０の通信回路１２ｂで受信され、制御部１１のシステム制御回路１３に送出される。システム制御回路１３は、メモリ１４にボタン操作データの動作ログ１４ａを記録すると共に、そのボタン操作データを解析してナースコール子機１４０ａで受信可能な呼出開始信号を通信回路１２ａから送信する。その呼出開始信号はナースコール子機１４０ａの通信回路４２で受信され、制御部４１に送出される。制御部４１は、呼出開始データに基づき表示部４４のバックライトを点灯し、ナースコール親機１２０から呼び出しがあったことを表示すると共に、呼出状態が確立した旨の呼出確立信号を通信回路４２からナースコール制御機１１０に送信する。その呼出確立信号はナースコール制御機１１０の通信回路１２ａで受信され、制御部１１のシステム制御回路１３に送出される。システム制御回路１３は、メモリ１４に呼出確立データの動作ログ１４ａを記録する。
【００４３】
そして、ナースコール制御機１１０の制御部１１が有するシステム制御回路１３は、ナースコール子機１４０ａの表示部４４のバックライト点灯時間やナースコール親機１２０の操作部２３のボタン操作回数などの各動作ログ１４ａを、メモリ１４に記録されている寿命ログ１４ｃに加算し、ＲＯＭ１５に記録されている寿命データ１５ｃの基準値と比較する。システム制御回路１３は、基準値を越える数値になっている場合にはナースコール親機１２０、外部監視装置１５０に対して警告通知信号を送信するために、通信回路１２ｂ、通信回路１２ｃにその警告通信信号を送信する。その警告通信信号はナースコール親機１２０の通信回路２２で受信され、制御部２１に送出される。制御部２１は、警告通知データに基づき表示部２４のバックライトを点灯し、ナースコール子機１４０ａの表示部４４のバックライト点灯時間または（及び）ナースコール親機１２０の操作部２３のボタン操作回数が基準値を越えている旨の警告を表示することができる。また、その警告通信信号は外部監視装置１５０の通信回路５２で受信され、制御部５１に送出される。制御部５１は、警告通知データに基づき表示部５４のバックライトを点灯し、ナースコール子機１４０ａの表示部４４のバックライト点灯時間または（及び）ナースコール親機１２０の操作部２３のボタン操作回数が基準値を越えている旨の警告を表示することができる。このように、電気部品等の寿命による機器の故障を事前に発見することができるので、機器が故障する前に部品交換が可能になる。なお、このような警告表示は、既存のインターホン装置が有する警報情報を知らせる機能で行うことができるので、新しい表示機能を追加する必要はない。
【００４４】
なお、ナースコール制御機１１０は、ナースコール親機１２０の操作部２３や外部監視装置１５０の操作部５３の操作により、メモリ１４の所定領域に保存された比較結果をナースコール親機１２０の表示部２４や外部監視装置１５０の表示部５４に表示させる機能をもたせてもよい。この場合、例えば外部監視装置１５０の操作部５３で、メモリ１４の所定領域に保存された比較結果の読み込み操作を行うと、外部監視装置１５０の制御部５１は通信回路５２から比較結果読込信号をナースコール制御機１１０に送信する。ナースコール制御機１１０の通信回路１２ｃで受信された比較結果読込信号はシステム制御回路１３に送出される。システム制御回路１３は、その比較結果読込データを解析してメモリ１４に記録されている寿命ログ１４ｃのデータを通信回路１２ｃから外部監視装置１５０に送信する。その寿命ログ１４ｃのデータは外部監視装置１５０の通信回路５２で受信され、制御部５１に送出される。制御部５１は、比較結果のデータに基づき表示部５４のバックライトを点灯し、ナースコール子機１４０ａの表示部４４のバックライト点灯時間または（及び）ナースコール親機１２０の操作部２３のボタン操作回数が基準値を越えている旨の警告を表示することができる。また、ナースコール親機１２０は外部監視装置１５０と同様の構成なので、ナースコール親機１２０の操作部２３で比較結果の読み込み操作を行うと、外部監視装置１５０と同様の信号処理により表示部２４のバックライトを点灯し、ナースコール子機１４０ａの表示部４４のバックライト点灯時間または（及び）ナースコール親機１２０の操作部２３のボタン操作回数が基準値を越えている旨の警告を表示することができる。
【００４５】
また、ナースコール子機１４０ａ、１４０ｂ、１４０ｃ、・・・、外部監視装置１５０はナースコール親機１２０と同様の構成なので、それぞれ他の機器を呼び出すために操作部で居室番号をボタン操作すると、ナースコール親機１２０でボタン操作した場合と同様にナースコール制御機１１０がシステム制御することができる。したがって、ナースコール親機１２０の表示部２４や外部監視装置１５０の表示部５４に、呼出表示させた機器の表示部のバックライト点灯時間または（及び）ボタン操作した機器の操作部のボタン操作回数が基準値を越えている旨の警告を表示することができる。このように、電気部品等の寿命による機器の故障を事前に発見することができるので、機器が故障する前に部品交換が可能になる。
【００４６】
このように、上述した集合住宅インターホン装置やナースコールインターホン装置では、制御機１０やナースコール制御機１１０の各ＲＯＭ１５に寿命データ１５ｃを記録し、各メモリ１４に寿命ログ１４ｃを記録することができるような機器構成なので、安価に従来の難点を回避することができる。
【００４７】
なお、上述したナースコールインターホン装置の実施例においては、ナースコール子機１４０ａ、１４０ｂ、１４０ｃ、・・・はナースコール親機１２０と同様の構成としたが、これに限らず、既知のナースコール子機と同様に操作部４３のみを有し、制御部４１と通信回路４２を廊下灯に設けたナースコールインターホン装置でも同様の効果を奏することはいうまでもない。
【図面の簡単な説明】
【００４８】
【図１】本発明のインターホン装置における好ましい実施の形態例を示す全体ブロック図である。
【図２】本発明のインターホン装置における他の好ましい実施の形態例を示す全体ブロック図である。
【符号の説明】
【００４９】
１０……制御機
１４……メモリ
１４ａ……動作ログ
１４ｃ……寿命ログ
１５……ＲＯＭ
１５ｃ……寿命データ
２０……管理室親機
２３……操作部
２４……表示部
３０……集合玄関機
３３……操作部
３４……表示部
４０ａ、４０ｂ、４０ｃ、・・・……居室親機
４３……操作部
４４……表示部
５０……外部監視装置
５３……操作部
１１０……ナースコール制御機
１４……メモリ
１４ａ……動作ログ
１４ｃ……寿命ログ
１５……ＲＯＭ
１５ｃ……寿命データ
１２０……ナースコール親機
２３……操作部
２４……表示部
１４０ａ、１４０ｂ、１４０ｃ、・・・……ナースコール子機
４３……操作部
４４……表示部
１５０……外部監視装置
５３……操作部
【図１】
2006238303.tif 000003
【図２】
2006238303.tif 000004